(57)【要約】【課題】特別な技術を必要とせずにメインテナンス及び修理作業ができ、また低コスト化が図れる気象計の提供。【解決手段】気象要素を観測する複数のセンサを装備した気象計であって、屋根部に雨滴センサと日照センサを配置した第１ユニットと、第１ユニットの下方に複数の支柱を介して筒体部が取り外し可能に取り付けられ、前記筒体部の上面に超音波風向風速センサを配置し、前記筒体部内に気圧センサを配置した第２ユニットと、前記第２ユニットの下方に温度センサおよび湿度センサを収容した温湿度筒が前記第２ユニットに対して取り外し可能に取り付けられた第３ユニットと、前記温湿度筒を取り囲む通風筒が前記第２ユニットに対して取り外し可能に取り付けられた第４ユニット、を備えた。【選択図】図２
2015210132.tif 000002
【特許請求の範囲】
【請求項１】
気象要素を観測する複数のセンサを装備した気象計であって、
屋根部に雨滴センサと日照センサを配置した第１ユニットと、
第１ユニットの下方に複数の支柱を介して筒体部が取り外し可能に取り付けられ、前記筒体部の上面に超音波風向風速センサを配置し、前記筒体部内に気圧センサを配置した第２ユニットと、
前記第２ユニットの下方に温度センサおよび湿度センサを収容した温湿度筒が前記第２ユニットに対して取り外し可能に取り付けられた第３ユニットと、
前記温湿度筒を取り囲む通風筒が前記第２ユニットに対して取り外し可能に取り付けられた第４ユニット、
を備えた気象計。
【請求項２】
前記屋根部は、屋根面に雨滴センサを配置すると共に、屋根部内に配置した日照センサに太陽光を導く窓部を配置したことを特徴とする請求項１に記載の気象計。
【請求項３】
超音波風向風速センサの超音波発信及び受信素子は、対向配置する素子を１組として、上下方向に沿った軸周りに２組配置したことを特徴とする請求項１または２に記載の気象計。
【請求項４】
超音波発信及び受信素子は、超音波の送信波を前記屋根部の天井面に向け発信し、前記天井面で反射した反射波を受信することを特徴とする請求項３に記載の気象計。
【請求項５】
前記第２ユニットの筒体部は、外筒体部の内側に前記気圧センサが配置される内筒体部が隙間を有して配置された二重壁構造であることを特徴とする請求項１から４のいずれかに記載の気象計。
【請求項６】
前記第３ユニットの温湿度筒部は、前記温度センサと湿度センサを一体的に収納したカートリッジ式に構成されていることを特徴とする請求項１から５のいずれかに記載の気象計。
【請求項７】
前記第２ユニットの内筒体部の下面開口を覆うボトムカバーには、内筒体部内に配置される配線板に取り付けられた電源スイッチを外部からの操作を可能とする操作孔が形成されていることを特徴とする請求項１から６のいずれかに記載の気象計。
【請求項８】
前記第４ユニットの通風筒は、上下に隔設配置された複数の傘部材により構成され、前記各傘部材の外表面は反射面に形成し、内面を輻射熱を吸収する輻射熱吸収面としたことを特徴とする請求項１から７のいずれかに記載の気象計。
【請求項９】
前記第４ユニットの通風筒の外径は前記２ユニットの本体部の外径よりも小径とし、前記本体部よりも内側に前記通風筒が配置されることを特徴とする請求項８に記載の気象計。
【発明の詳細な説明】
【技術分野】
【０００１】
本発明は、温湿度、風向風速等の、感雨等の気象要素を観測する機器を一纏めに配置した気象計に関する。
【背景技術】
【０００２】
降水量、気温、日照時間、風向風速等の気象要素を観測する機器を一纏めに配置した気象計が提案されている。このような気象計は、無人の気象観測所として機能し、有線又は無線で観測データを所定のコンピュータに送信する（特許文献１）。
【０００３】
一般に、このような気象計は無人管理されているため、定期的なメインテナンスあるいは故障時の修理作業は、気象計の知識を有する専門の作業者が行っている。
【０００４】
しかし、観測データの連続性等を確保するためには、早期のメインテナンスおよび修理作業等が必要である。このため、気象計の設置場所に近い人に、メインテナンスおよび修理作業等を委託できれば、早期に気象観測を再開することができる。
【０００５】
一方、このような気象計を狭い範囲に多数設置できれば、各種の気象要素を高密度に収集することができ、例えば特定地域での特異な気象現象の発生予測に寄与することができる。このため、気象計のコストを低減し、少ない予算で狭い地域に多数の気象計を高密度に設置することが望まれる。
【先行技術文献】
【特許文献】
【０００６】
【特許文献１】特開２００２−１７４６８５号公開公報
【発明の概要】
【発明が解決しようとする課題】
【０００７】
本発明の目的は、特別な技術を必要とせずにメインテナンス及び修理作業ができ、また低コスト化が図れる気象計を提供することにある。
【課題を解決するための手段】
【０００８】
本発明の課題を解決する気象計の構成は、気象要素を観測する複数のセンサを装備した気象計であって、屋根部に雨滴センサと日照センサを配置した第１ユニットと、第１ユニットの下方に複数の支柱を介して筒体部が取り外し可能に取り付けられ、前記筒体部の上面に超音波風向風速センサを配置し、前記筒体部内に気圧センサを配置した第２ユニットと、前記第２ユニットの下方に温度センサおよび湿度センサを収容した温湿度筒が前記第２ユニットに対して取り外し可能に取り付けられた第３ユニットと、前記温湿度筒を取り囲む通風筒が前記第２ユニットに対して取り外し可能に取り付けられた第４ユニット、を備えた。
【発明の効果】
【０００９】
本発明によれば、可動部の無い気象計を提供することができ、メインテナンスが容易となる。また、特殊な技術を不要とせずに簡単に部品の交換が行える。このため、気象計の設置場所の近くの人に保守管理等を委託することが可能となる。
【図面の簡単な説明】
【００１０】
【図１】本発明の第１の実施形態を示す気象計の全体構成の外観図で、（ａ）は正面図、（ｂ）は上面図、（ｃ）は側面図である。
【図２】図１の気象計の分解図。
【図３】図２のＡ−Ａ矢視図。
【図４】図２のＢ−Ｂ矢視図。
【図５】図３のＣ−Ｃ矢視断面図。
【図６】図２のＤ−Ｄ矢視図。
【図７】図２のＦ−Ｆ矢視図。
【図８】図７の回路カバーを取り外した図。
【図９】図８のボトムカバーを取り外した図。
【図１０】図９のメイン基板を取り外した図。
【発明を実施するための形態】
【００１１】
以下、本発明を図面に示す実施形態に基づいて詳細に説明する。
【００１２】
図１は本発明の実施形態を示す気象計の全体構成の外観図で、（ａ）は正面図、（ｂ）は上面図、（ｃ）は側面図、図２は図１の気象計の分解図、図３は図２のＡ−Ａ矢視図、図４は図２のＢ−Ｂ矢視図、図５は図３のＣ−Ｃ矢視断面図、図６は図２のＤ−Ｄ矢視図、図７は図２のＦ−Ｆ矢視図、図９は図７の回路カバーを取り外した図、図９は図８のボトムカバーを取り外した図、図１０は図９のメイン基板を取り外した図である。
【００１３】
図１、２において、本実施形態の気象計１は、地面などに立設された支柱２に、Ｌ字形状の取り付けブラケット３を介して取り付けられる。気象計１は、第１ユニット１０と、第２ユニット３０と、第３ユニット６０と、第４ユニット８０とにより構成する。気象計１により観測した各種の気象要素のデータは、例えば有線、無線の通信回線を介して所定のサーバに送信される。
【００１４】
第１ユニット１０は第２ユニット３０の上部に取り外し可能に取り付けられ、第３ユニット６０は第２ユニット３０の下部に取り外し可能に取り付けられ、第４ユニット８０は第３ユニット６０を取り囲むようにして第２ユニット３０の下部に取り外し可能に取り付けられる。気象計１は、第１ユニット１０と、第２ユニット３０と、第４ユニット８０が上下方向に一列に配置される。
【００１５】
ここで、図１（ｂ）において、中心点Ｏを通る直交２軸をＸ軸、Ｙ軸とし、中心点Ｏを挟んでＸ軸方向の右側をＥ側，左側をＷ側、中心点Ｏを挟んでＹ軸方向の上側をＮ側，下側をＳ側とする。
【００１６】
第１ユニット１０は、球面状の屋根面１１を有する逆凹部形状の屋根部１２と、例えば鏡面状の天井面１３を有する円盤形状の天井部１４とを有する。第２ユニット３０に設けた4本の支柱１５の上端部に天井部１４がネジ止めされることにより、第１ユニット１０と第２ユニット３０が一体的に組み付けられる。４本の支柱１５は、図１（ｂ）に示すように、天井部１４の中心点Ｏを中心とする同一円周上に配置され、Ｘ軸（Ｙ軸）に対して４５度の角度を有して配置される。
【００１７】
屋根面１１には、雨が降り始めたことをリアルタイムに感知する感雨感知手段としての感雨センサ１６と、日射をリアルタイムに感知する日射感知手段としての日射センサ１７が望む窓部１７ａが配置される。屋根部１２は、天井部１４に対し、不図示のネジにより取り外し可能となっている。
【００１８】
天井部１４は、図２及び図３に示すように、上面に日射センサ１７が窓部１７ａに対応して配置される。
【００１９】
感雨センサ１６は、プリント基板上に複数本の導電性パターンを配置した静電容量式の構成で、屋根面１１の凹部１１ａ内に配置される。傾斜した感雨センサ１６は、隣接する導電性パターンに跨って雨滴が付着すると、両方の導電性パターンが短絡することを利用して降雨を検知する。凹部１１ａの底面は例えば下向きに２０度の角度で傾斜し、前記プリント基板上に落ちた雨滴は傾斜するプリント基板面に沿って滑落させ、水はけを良くする。
【００２０】
日射センサ１７は、例えばフォトダイオードにより構成され、感雨センサ１６に並設して配置される。感雨センサ１６および日射センサ１７の通信線（不図示）は、空洞の支柱１５内を通して第２ユニット３０内に配置された回路部に接続される。
【００２１】
各支柱１５の上端部には、係合片部１５ａが形成されている。係合片１５ａには、ネジ孔部１５ｂと支柱１５の空洞部に連通する連通孔部１５ｃが形成される。天井部１４の下面側には、係合片部１５ａが係合する窪み部１４ａが形成される。窪み部１４ａには、係合片部１５ａのネジ穴部に対応してネジ挿通孔１４ｂと支柱の空洞部に対応して通信線が挿通される穴部１４ｃが形成される。したがって、ネジ挿通孔１４ｂを通してネジ（不図示）を係合片部１５ａのネジ穴部にねじ込むことで、支柱１５に天井部１４が固定される。
【００２２】
第２ユニット３０は、円筒状に形成された外筒部である第１筒体部３１と、第１筒体部３１の内側に配置された角筒上に形成された内筒部である第２筒体部３２を有し、第１筒体部３１と第２筒体部３２の上面は上板部３３により塞がれている。
【００２３】
第１筒体部３１は、Ｅ側の外周部に形成した窪み部３１１に外部電源および外部との通信を行う接続ポート部３４を配置する。上板部３３の上面には、超音波式の風向風速計３５の発信・受信素子３５１〜３５４を配置する。第１発信・受信素子（Ｈ１素子と略す）３５１と第３発信・受信素子（Ｈ３素子と略す）３５３とを一組として送受信を行う第１センサ部を構成し、第２発信・受信素子（Ｈ２素子と略す）３５２と第４発信・受信素子（Ｈ４素子と略す）３５４を一組として送受信を行う第２センサ部を構成する。ここで、図４に示すように、Ｈ１素子をＥ側、Ｈ２素子をＳ側、Ｅ３素子をＷ側、Ｅ４素子をＮ側に配置する。また、Ｈ１素子３５１とＨ３素子３５３とを中心点Ｏを中心とする点対称に配置し、同様にＨ２素子３５２とＨ４素子３５４を中心点Ｏを中心とする点対称に配置する。さらに、Ｈ１素子３５１〜Ｈ４素子３５４は、支柱１５との間に配置され、第１センサ部と第２センサ部は測定区間が互いに直交し、かつ等しい測定区間が設定される。
【００２４】
Ｈ１素子３５１〜Ｈ４素子３５４は、図５に示すように、発信・受信面３５５が互いに向かい合う方向に向き、かつ斜め上方に４５度〜６０度の放射角度で傾斜する。Ｈ１素子３５１〜Ｈ４素子３５４の発信・受信面３５５から放射された超音波は、屋根部１２の天井面１３で反射し、対向するＨ１素子３５１〜Ｈ４素子３５４の発信・受信面３５５に入射する。第１センサ部のＨ１素子３５１とＨ３素子３５３間での超音波の伝搬時間及び第２センサ部の各素子間での超音波の伝播時間を測定することにより、風向および風速を測定する。ここで、音速をＶｓ、風速をＶｗとすると、音波は風上から風下にＶｓ＋Ｖｗの速度で伝播し、風下から風上にはＶｓ−Ｖｗの速度で伝播する。したがって、第１センサ部と第２センサ部の超音波の伝播時間を測定することで風速が測定できる。また、第１センサ部を例えば南北方向、第２センサ部を東西方向に配置することにより、風向を測定することができる。
【００２５】
本実施形態において、対向するＨ１素子３５１とＨ３素子３５３の素子間距離、および対向するＨ２素子３５２とＨ４素子３５４の素子間距離は、例えば３ｃｍ〜１０ｃｍとすると、風速を高精度に測定できた。
【００２６】
また、風向風速計３５は、天井面１３を利用した反射型構成としているので、Ｈ１、Ｈ２、Ｈ３、Ｈ４素子と天井面１２との間の障害物が無い空間に超音波を発信することができるため、高精度の風向風速を測定することができる。また、屋根部１２により、雨や雪の影響を受け難い状態で風向風速の測定ができる。
【００２７】
一方、第１筒体部３１は、図６−図１１に示すように、内周壁部からＸ軸方向とＹ軸方向に沿って４箇所からリブ３６が中心点Ｏに向けて張り出している。各リブ３６は、筒体部３１の上下方向の略全長に渡って形成される。各リブ３６は、内端面が第２筒体部３２の外周壁面に一体的に接続され側に空間３７を形成する。
【００２８】
すなわち、第２ユニット３０は、第１筒体部３１の内側に第２筒体部３２を配置した二重壁構造を構成し、第２筒体部３２内の温度が外気温の温度変化の影響を受けないようにしている。これは、第２筒体部３２内に気圧をリアルタイムに感知する気圧感知手段としての気圧センサ５０を配置するため、温度変化による気圧の変化を少なくするためである。気圧センサ５０としては、ピエゾ素子を用いている。
【００２９】
第１筒体部３１の上端の外周には、下方に向けて垂れ下がり、表面が凸の曲面に形成される鍔部３８が周方向に設けられる。すなわち、風向風速計３５に対する横風は、鍔部３８に当たると、風はスムーズに上板部３３と天井面１４との間の空間に導かれ、高精度に風向及び風速を検出できるようにしている。
【００３０】
第２筒体部３２の下端面にはボトムカバー３９が配置され、第２筒体部３２の下面開口をボトムカバー３９で塞ぐ。ボトムカバー３９は、ネジ４０が第２筒体部３２のネジ穴部３２ａにねじ込まれることで取り外し可能に固定される。
【００３１】
また、第１筒体部３１の上端部には、筒体部の内外を連通する連通口３１２が適当間隔で周方向に形成される。すなわち、これらの連通口３１２を介して第１筒体部３１の内側（第２筒体部３２の内側を含む）の気圧を外気圧と同じにする。なお、第１筒体部３１と第２筒体部３２の間には隙間が形成され、外気を第１筒体部３１内に取り込むが雨は防ぐ構造となっている。
【００３２】
図５に示すように、第２筒体部３２の内部空間には、気圧センサ５０が取り付けられたメイン基板４１と、メイン基板４１に対して直角にサブ基板４２が配置される。
【００３３】
図９は、メイン基板４１を筒体部３１の下方から見た図、図１０はメイン基板４１とサブ基板４２を取り外し、上板部３２の裏面側を見た図である。サブ基板４２には、例えば気象計１に搭載される各種センサ等のドライバー回路等が設けられ、メイン基板４１には各種センサ等の測定結果を演算処理する回路部等が設けられる。なお、メイン基板４１は、ボトムカバー３９を取り外すことにより、図９に示すように現れる。
【００３４】
本実施形態において、ボトムカバー３９には、第３ユニット６０を構成するカートリッジ式の温湿度筒６１が取り外し可能に取り付けられる。
【００３５】
図２、図７に示されるように、温湿度筒６１は、ボトムカバー３９に形成された装着孔部３９ａに温湿度筒６１の円筒状に形成された上端部６２が押し込まれることで、メイン基板４１に設けた温湿度センサ用コネクタ４３に、温湿度筒６１の上端部６２に設けたコネクタ６３が差し込まれて接続される。温湿度筒６１の上端部６２には、位置決め用の平坦部６４が形成される。温湿度センサ用コネクタ４３の上部に設けた位置決め板３９ｂにこの平坦部６４が向かい合うように、温湿度筒６１を装着すると、スムーズに装着されて、両コネクタ４３、６３が接続される。
【００３６】
温湿度筒６１の上端部６２には、外周部にゴム製のＯリング６５が装着されている。温湿度筒６１を装着孔部３９ａに差し込む際に、このＯリング６５が装着孔部３９ａの内周面に摩擦接触する。このため、温湿度筒６１は装着孔部３９ａにこのＯリング６５により摩擦力を有して保持され、脱落が防止される。
【００３７】
また、温湿度筒６１の根元側には、フランジ部６７が形成されている。フランジ部６７の下端側にはゴム板で形成された水密性のシール部材６６が装着される。そして、温湿度筒６１は、装着孔部３９ａの開口端面にフランジ部６７が当接するまで押し込まれる。
【００３８】
一方、温湿度筒６１の上端部６２には、上下方向に延びる配線板６８の上端部６８ａが固定される。配線板６８の下端部６８ｂには、両面に温度センサ６９ａと湿度センサ６９ｂが配置する。配線板６８の下端部６８ｂの周囲は、ポリエチレン等の多孔質の部材により筒形状に形成した防護筒７０が隙間を有して覆われている。防護筒７０は、通気性を有するため、温度センサ６９ａと湿度センサ６９ｂの温度および湿度の検知に影響を与えない。また防護筒７０の底面には、網部材を設けることで、防護筒７０内に虫等が入り込むことが防止される。防護筒７０は、上端開口部が上端部６２にねじ込まれて固定される。
【００３９】
本実施形態の温湿度筒６１は、温度センサ６９ａ、湿度センサ６９ｂが故障した場合、温湿度筒６１等を構成する第３ユニット６０を交換する。第３ユニット６０の交換に際し、温度センサ６９ａと湿度センサ６９ｂは防護筒７０で覆われているため、温度センサ６９ａと湿度センサ６９ｂに直接手が触れるといったトラブルが生じることがない。
【００４０】
本実施形態において、第３ユニット６０を第２ユニット３０に装着する方法として、温湿度筒６１を押し込み方式としているが、これに限定されるものではなく、例えば温湿度筒６１の上端部６２を装着孔部３９ａに差し込み、その後所定角度軸周りに回転させて係合させ、脱落を防止するような構成としても良い。この場合、配線板６８を上端部６２に対して回転可能とすることで、両コネクタ４３、６３が結合した状態で、上端部６２のみの回転が許容される。また、温湿度筒６１の上端部６２の外周部に複数の突起部を設け、装着孔部３９ａの開口の周囲に、これらの突起部が上下方向に沿って係合する上下方向の案内溝と、前記案内溝の上端に通じる周方向に沿った周溝とにより形成する。この周溝の下面側を傾斜面とすることにより、突起部がこの傾斜面に沿って上方に移動し、フランジ部６７と装着孔部３９ａの開口面との間にシール部材６６を挟持する。
【００４１】
図７に示すように、ボトムカバー３９には、電池カバー３９ｃが取り外し可能に取り付けられている。電池カバー３９ｃを取り外すと、メイン基板４１の一部が現れ、ニッケル水素電池の二次電池あるいは乾電池等の電池４７の交換が可能となる。電池カバー３９ｃの開口部に現れるメイン基板４１には、ディップスイッチ４８、ＵＳＢコネクタ４９等が配置される。また、メイン基板４１には、例えば押しボタン式の電源スイッチ５２が配置される。ボトムカバー３９には、スイッチ５２に対応して操作孔３９ｄが形成され、操作孔３９ｄを通して外部から電源スイッチ５２のＯＮ，ＯＦＦ操作を可能とする。操作孔３９ｄは、不図示の栓部材により塞がれており、電源スイッチ５２を操作する際にこの栓部材を取り外す。また、ボトムカバー３９には、稼働状態と通信状態を明示するパイロットランプ５３を配置する。
【００４２】
また、図６−図８に示すように、ボトムカバー３９の周囲には、第４ユニット８０を構成する通風筒８１を取り外し可能に取り付ける弧形状に形成した第１係合部５４が設けられている。なお、第１係合部５４による第４ユニット８０の係合構造については後述する。
【００４３】
図２に示すように、第４ユニット８０は、通風筒８１を有する。通風筒８１は、円筒形状の複数の傘部材８１１〜８１４を上下に間隔を有して一体化している。
【００４４】
通風筒８１は、下から上に向けて第１傘部材８１１、第２傘部材８１２、第３傘部材８１３、第４傘部材８１４で構成し、第２傘部材８１２と第３傘部材８１３は同一構造としている。本実施形態において、第１傘部材８１１〜第４の傘部材８１４は、基本的な外形形状が同一で、第１傘部材８１１の天面（不図示）は塞がれている。第１傘部材８１１〜第４の傘部材８１４は、外表面を鏡面仕上げとし、日射の影響による温度上昇防止する。第１傘部材８１１〜第４の傘部材８１４は、内表面を黒色塗装し、輻射熱を吸収する。
【００４５】
また、第２傘部材８１２〜第４傘部材８１４の天面（不図示）には、円形の開口部（不図示）が形成されている。これらの開口部の内径は、防護筒７０の外径よりも大径に形成される。通風筒８１の上部には、第２傘部材８１２〜第４傘部材８１４の開口部内に温湿度筒６１を通して第１係合部５４に取り外し可能に取り付けられる円筒形状の第２係合部８２が設けられている。第２係合部８２の内周側には、温湿度筒６１のフランジ部６６の下側に配置されるシール部材６７の下面に当接する円筒形状に形成された押し付け筒部８３が形成されている。第２係合部８２の内壁面側には、周方向に沿って３か所に係合突起部８２ａが中心部に向けて形成される。第２係合部８２の内周面には、周方向の３か所に内面を平坦面とする平坦部（不図示）が形成され、この平坦部に係合突起部８２ａが形成される。
【００４６】
第１係合部５４には、係合突起部８２ａに対応して、外周面側を平坦面とした平坦部５４ａが前記第２係合部８２の内周面に形成した平坦面に対応して３か所に形成され、平坦部５４ａにネジ孔部５４ｂが形成される。平坦部５４ａには、係合突起部８２ａが係合する係合溝部５４ｃがそれぞれ形成される。この係合溝部５４ｃは、係合突起部８２ａが上下方向において係合する第１係合溝（不図示）と、第１係合溝に連設され、周方向において係合突起部８２ａが係合する第２係合溝（不図示）とを有し、前記第２係合溝の下辺面は第１係合溝から離れるに従って上方に向けて高くなるような傾斜面に形成されている。
【００４７】
したがって、通風筒８１の第２係合部８２をボトムカバー３９の第１係合部５４に装着するには、第２係合部８２の内周面に形成された平坦部を第１係合部５４の各平坦部５４ａに位置合わせし、そのまま押し込むと、各係合突起部８２ａが係合溝部５４ｃの第１係合溝に係合し、さらに押し込むと各係合突起部８２ａが第２係合溝との連設位置まで押し込まれる。そして、通風筒８１を右回転すると、各係合突起部８２ａが第２係合溝の傾斜した下辺面を摺動しながら上方に移動する。
【００４８】
したがって、押し付け筒部８３が温湿度筒６１のシール部材６６と共にフランジ６７をボトムカバー３９に押し付け、さらに各係合突起部８２ａが第２係合溝に沿って上方に移動する力によって、シール部材６６を弾性変形させながらフランジ６７をボトムカバー３９の下面に押し付ける。このため、温湿度筒６１は、通風筒８２により脱落が防止される。
【００４９】
また、通風筒８１を所定の位置まで回転すると、第２係合部８２の各ネジ挿通孔８４が第１係合部５４の各ネジ孔部５４ｂに一致し、不図示の止めネジをネジ挿通孔８２ｂを通して各ネジ孔部５４ｂにねじ込み、通風筒８１の軸周り方向への回転が阻止される。
【００５０】
第１傘部材８１１〜第４の傘部材８１４は、不図示の取り付け部材を介して所定の間隔を有して一体的に固定される。なお、各開口部と防護筒７０との間には通風が確保できる適当な隙間が形成される。
【００５１】
また、第１傘部材８１１の天面には開口がなく、通風筒８１の最上面はボトムカバー３９により塞がれているので、通風筒８１内は上下方向に速い風の流れが発生しない。このため、防護筒７０は速い風の影響による温度変化が防止される。
【００５２】
本実施形態において、通風筒８１の外径は、第２ユニット３０の第１筒体部３１の外径よりも小径としている。このため、太陽が天頂に達する前後において通風筒８１には、第１筒体部３１が影となって直接太陽光が当たらないので、通風筒８１が熱せられるのを防止できる。しかも、第１傘部材８１１〜第４の傘部材８１４の表面は鏡面仕上げとしているため、太陽光の照射による通風筒８１内の温度変化の影響を排除することができる。したがって、防護筒７０内に収納した温度センサ６９ａおよび湿度センサ６９ｂは正確な温湿度の測定が行える。
【００５３】
上記した構成の気象計１において、気象計１が正常に動作しているか否かは、第２ユニット３０の下側からパイロットランプ５３を見ることにより判断できる。正常でない場合には、図６及び図７に示すように、第４ユニット８０の通風筒８１を第２ユニット３０から取り外す。次いで、ボトムカバー３９の操作孔３９ｄを塞いでいる栓部材を取り外し、操作孔３９ｄから押しボタン式スイッチ５２を押して全体の電気回路をＯＦＦとする。なお、単なる電池切れの場合には、図８に示すように電池カバー３９ｃの取り外しで露出する電池４７の交換作業が行える。
【００５４】
電池カバー３９ｃの取り外しにより、メイン基板４１の一部が露出するので、電気回路の状態を検査する場合には、診断用のパソコンの通信ケーブルをＵＳＢコネクタ４９に接続する。その際、所定のマニュアルに従ってディップスイッチ４８等の設定を行い、気象計１の診断を行う。
【００５５】
温度センサあるいは湿度センサの故障と診断されると、通風筒８１を取り外し、第３ユニット６０の温湿度筒６１を交換することで、対処することができる。その際、温度センサおよび湿度センサに直接手を触れることがないので、故障等の発生を未然に防止することができる。
【００５６】
気圧センサ５０の故障と診断されると、ボトムカバー３９を本体部３３から取り外し、メイン基板４１を交換する。その際、気圧センサ５０のみを交換できるようにしても良い。
【００５７】
風向風速計３５の故障と判断されると、第２ユニット３０を交換する。この場合、第１ユニット１０から支柱１５を取り外し、第２ユニットから第３ユニット６０と第４ユニット８０を取り外せば、第２ユニット３０を分離することができる。
【００５８】
感雨センサ１６または日射センサ１７が故障と診断されると、第１ユニット１０を交換する。
【００５９】
このように、本実施形態の気象計は、特殊な技術を不要とせずに簡単に部品の交換が行える。このため、気象計１の設置場所の近くの人に保守管理等を委託することが可能となる。
【符号の説明】
【００６０】
１  気象計
２  支柱
３  ブラケット
１０  第１ユニット
３０  第２ユニット
６０  第３ユニット
８０  第４ユニット
１６  感雨センサ
１７  日照センサ
３５  風向風速計
５０  気圧センサ
【図１】
2015210132.tif 000003
【図２】
2015210132.tif 000004
【図３】
2015210132.tif 000005
【図４】
2015210132.tif 000006
【図５】
2015210132.tif 000007
【図６】
2015210132.tif 000008
【図７】
2015210132.tif 000009
【図８】
2015210132.tif 000010
【図９】
2015210132.tif 000011
【図１０】
2015210132.tif 000012